(57)【要約】【課題】通信を適切に行う。【解決手段】第１ビット列を生成する第１生成手段１０１と、第２ビット列を生成する第２生成手段１０２と、第１ビット列と第２ビット列を多重させるかどうかを指示する指示手段１０３と、指示手段が多重させないと指示した場合、または、指示手段が多重させると指示してかつ第２ビット列が第１値を持つ場合には、第１ビット列を用いて第１信号を生成し、指示手段が多重させると指示してかつ第２ビット列が第１値以外の値を持つ場合には、第１ビット列を用いて第２信号を生成する信号生成手段８０１と、第１信号または第２信号を送信する送信手段１０８と、を具備する。【選択図】図８
2009171028.tif 000002
【特許請求の範囲】
【請求項１】
第１ビット列を生成する第１生成手段と、
第２ビット列を生成する第２生成手段と、
前記第１ビット列と前記第２ビット列を多重させるかどうかを指示する指示手段と、
前記指示手段が多重させないと指示した場合、または、前記指示手段が多重させると指示してかつ前記第２ビット列が第１値を持つ場合には、前記第１ビット列を用いて第１信号を生成し、前記指示手段が多重させると指示してかつ前記第２ビット列が第１値以外の値を持つ場合には、前記第１ビット列を用いて第２信号を生成する信号生成手段と、
前記第１信号または前記第２信号を送信する送信手段と、を具備することを特徴とする無線送信装置。
【請求項２】
前記信号生成手段は、前記第１信号を生成する第１信号生成手段と、前記第２信号を生成する第２信号生成手段と、を具備することを特徴とする請求項１に記載の無線送信装置。
【請求項３】
前記信号生成手段は、前記第２ビット列が２ビット以上の場合には前記第２ビット列に対応する第２信号を生成することを特徴とする請求項１または請求項２に記載の無線送信装置。
【請求項４】
前記第１値は、ＮＡＣＫを示す値であることを特徴とする請求項１から請求項３のいずれか１項に記載の無線送信装置。
【請求項５】
前記信号生成手段は、第１符号化手法によって前記第１ビット列を符号化する第１符号化手段と、前記第１符号化手法とは異なる第２符号化手法によって前記第１ビット列を符号化する第２符号化手段と、前記第１符号化手段と前記第２符号化手段とを切り替える切替手段と、を含むことを特徴とする請求項１に記載の無線送信装置。
【請求項６】
前記信号生成手段は、第１変調手法によって変調する第１変調手段と、前記第１変調手法とは異なる第２変調手法によって変調する第２変調手段と、前記第１変調手段と前記第２変調手段とを切り替える切替手段と、を含むことを特徴とする請求項１に記載の無線送信装置。
【請求項７】
前記第１信号生成手段は、第１符号化手法によって前記第１ビット列を符号化する第１符号化手段を含み、前記第２信号生成手段は、前記第１符号化手法とは異なる第２符号化手法によって前記第１ビット列を符号化する第２符号化手段を含むことを特徴とする請求項２に記載の無線送信装置。
【請求項８】
前記第１信号生成手段は、第１変調手法によって変調する第１変調手段を含み、前記第２信号生成手段は、前記第１変調手法とは異なる第２変調手法によって変調する第２変調手段を含むことを特徴とする請求項２に記載の無線送信装置。
【請求項９】
第１ビット列と第２ビット列を多重させない場合または前記第１ビット列と前記第２ビット列を多重させてかつ前記第２ビット列が第１値を持つ場合に生成される第１信号と、前記第１ビット列と前記第２ビット列を多重させてかつ前記第２ビット列が第１値以外の値を持つ場合に生成される第２信号とのいずれか１つの信号を受信する受信手段と、
前記信号を受信したタイミングによって前記第１ビット列と前記第２ビット列とが多重されているかどうかを判定する判定手段と、
受信した信号が第１信号であるか第２信号であるかを判別する判別手段と、
前記判定手段が多重されていると判定し、かつ、受信した信号が第１信号であると判別された場合に、データを再送信する送信手段と、を具備することを特徴とする無線通信装置。
【請求項１０】
前記送信手段は、前記データとして、直前に送信した信号と同じ信号を再送信することを特徴とする請求項９に記載の無線通信装置。
【請求項１１】
前記送信手段は、前記データとして、直前に送信した信号に含まれる全ての情報ビットを含む信号を再送信することを特徴とする請求項９に記載の無線通信装置。
【請求項１２】
前記送信手段は、前記データとして、情報ビットを全て含む信号を再送信することを特徴とする請求項９に記載の無線通信装置。
【請求項１３】
他の無線通信装置と通信を行う無線通信装置であって、
前記他の無線通信装置に第１信号を送信する送信手段と、
前記他の無線通信装置が送信する第２信号を受信する受信手段と、
前記第２信号から、前記他の無線通信装置が前記第１信号の復調に失敗したか、または前記第１信号を受信しなかったかを判別する判別手段と、
前記判別手段が、前記他の無線通信装置が前記第１信号を受信しなかったと判別した場合に、データを再送信する送信手段と、を具備することを特徴とする無線通信装置。
【請求項１４】
第１ビット列を生成し、
第２ビット列を生成し、
前記第１ビット列と前記第２ビット列を多重させるかどうかを指示し、
多重させないと指示した場合、または、多重させると指示してかつ前記第２ビット列が第１値を持つ場合には、前記第１ビット列を用いて第１信号を生成し、
多重させると指示してかつ前記第２ビット列が第１値以外の値を持つ場合には、前記第１ビット列を用いて第２信号を生成し、
前記第１信号または前記第２信号を送信することを特徴とする無線送信方法。
【発明の詳細な説明】
【技術分野】
【０００１】
本発明は、無線信号の送信方法の特に信号の多重方法についての無線送信装置、無線通信装置および方法に関する。
【背景技術】
【０００２】
従来の無線通信では、制御チャネルを送信する方法として、例えばＣＱＩ（Channel Quality Indicator）のような第１ビット列だけを送信する場合と、この第１ビット列（ＣＱＩ）に第２ビット列（例えばＡＣＫ／ＮＡＣＫ）を多重して送信する場合がある。
【０００３】
例えば、無線通信を行う端末は、下りリンクで受信すべきデータがあるか否かをＤＬ−Ｇｒａｎｔを受信することで判断する。端末は、ＤＬ−Ｇｒａｎｔを受信しなかった場合は、ＣＱＩだけを送信し、ＤＬ−Ｇｒａｎｔを受信した場合は、続くデータを受信する。データを正常に受信した場合は、ＣＱＩにＡＣＫを多重して送信し、正常に受信できなかった場合は、ＮＡＣＫを多重して送信する。
【０００４】
第１ビット列に第２ビット列を多重して送信する方法として、第２ビット列の値によって第１ビット列の符号化方法を変える方法が示されている（例えば、非特許文献１参照）。また、この際に用いる符号化方法は、第２ビット列を多重しない場合と異なる符号化方法を用いる方法が示されている（例えば、非特許文献１参照）。
【非特許文献１】［平成１９年１２月２７日検索］、インターネット＜http://www.3gpp.org/ftp/tsg_ran/WG1_RL1/TSGR1_51/Docs/R1-074656.zip, “Embedded Coding for PUCCH Transmissions of CQI+ACK/NACK”, Sharp＞に含まれるFigure 2、Table 2の関連記述
【発明の開示】
【発明が解決しようとする課題】
【０００５】
従来の方法では、端末が、下りリンクで受信すべきデータがあることを通知するＤＬ−Ｇｒａｎｔの受信に失敗した場合に、通信相手である基地局が、端末が送信した信号からＡＣＫ（acknowledge）とＮＡＣＫ（Ｎｏｎ−ＡＣＫ）を誤って判定してしまう可能性があるという問題がある。また、誤判定をすると基地局が再送の処理が適切に行えないために、再送時の受信性能が劣化するなど、通信が適切に行えない可能性があるという問題がある。
【０００６】
本発明は、上述した事情を考慮してなされたものであり、通信相手との通信を適切に行うことが可能な無線送信装置、無線通信装置および方法を提供することを目的とする。
【課題を解決するための手段】
【０００７】
上述の課題を解決するため、本発明の無線送信装置は、第１ビット列を生成する第１生成手段と、第２ビット列を生成する第２生成手段と、前記第１ビット列と前記第２ビット列を多重させるかどうかを指示する指示手段と、前記指示手段が多重させないと指示した場合、または、前記指示手段が多重させると指示してかつ前記第２ビット列が第１値を持つ場合には、前記第１ビット列を用いて第１信号を生成し、前記指示手段が多重させると指示してかつ前記第２ビット列が第１値以外の値を持つ場合には、前記第１ビット列を用いて第２信号を生成する信号生成手段と、前記第１信号または前記第２信号を送信する送信手段と、を具備することを特徴とする。
【０００８】
本発明の無線通信装置は、第１ビット列と第２ビット列を多重させない場合または前記第１ビット列と前記第２ビット列を多重させてかつ前記第２ビット列が第１値を持つ場合に生成される第１信号と、前記第１ビット列と前記第２ビット列を多重させてかつ前記第２ビット列が第１値以外の値を持つ場合に生成される第２信号とのいずれか１つの信号を受信する受信手段と、前記信号を受信したタイミングによって前記第１ビット列と前記第２ビット列とが多重されているかどうかを判定する判定手段と、受信した信号が第１信号であるか第２信号であるかを判別する判別手段と、前記判定手段が多重されていると判定し、かつ、受信した信号が第１信号であると判別された場合に、データを再送信する送信手段と、を具備することを特徴とする。
【０００９】
また、本発明の無線通信装置は、他の無線通信装置と通信を行う無線通信装置であって、前記他の無線通信装置に第１信号を送信する送信手段と、前記他の無線通信装置が送信する第２信号を受信する受信手段と、前記第２信号から、前記他の無線通信装置が前記第１信号の復調に失敗したか、または前記第１信号を受信しなかったかを判別する判別手段と、前記判別手段が、前記他の無線通信装置が前記第１信号を受信しなかったと判別した場合に、データを再送信する送信手段と、を具備することを特徴とする。
【発明の効果】
【００１０】
本発明の無線送信装置、無線通信装置および方法によれば、通信相手との通信を適切に行うことができる。
【発明を実施するための最良の形態】
【００１１】
以下、図面を参照しながら本発明の実施形態に係る無線送信装置、無線通信装置および方法について詳細に説明する。なお、以下の実施形態では、同一の番号を付した部分については同様の動作を行うものとして、重ねての説明を省略する。  
まず、従来の問題点を詳細に説明する。  
無線通信においては、データだけでなく様々な制御情報も送信される。３ＧＰＰ−ＬＴＥの上りリンク通信では、制御情報を送るための専用のチャネルとしてＰＵＣＣＨ（Physical Uplink Control Channel）というチャネルを定義している。ＰＵＣＣＨでは測定した伝送路の状態を示すために用いられる制御情報であるＣＱＩ（Channel Quality Indicator）や、下りリンクで送られたデータ信号が正常に受信されたかどうかを示す制御情報であるＡＣＫ／ＮＡＣＫ（Ｎｏｎ−ＡＣＫ）などが搬送される。３ＧＰＰ−ＬＴＥでは通常、１つのＰＵＣＣＨにつきＣＱＩとＡＣＫ／ＮＡＣＫとのいずれか一方のみが送信される。この際、ＣＱＩとＡＣＫ／ＮＡＣＫとでは制御情報の量が異なるために、それぞれ異なるチャネルフォーマットが用いられる。
【００１２】
ＣＱＩについては、基地局が端末に対してあらかじめ送信タイミングを指示する。すなわち、端末は指示されたタイミングでＰＵＣＣＨを使ってＣＱＩを送信する。一方、ＡＣＫ／ＮＡＣＫは、上述したように下りリンクで送られてきたデータが正常に受信されたかどうかを示す制御情報である。すなわち、下りリンクでデータが送られてきた場合に、その後の上りリンクでＰＵＣＣＨを使ってＡＣＫ／ＮＡＣＫを送信することになる。そのため、ＣＱＩを送信するタイミングと下りリンクでデータが到来するタイミングが一致すると、ＣＱＩとＡＣＫ／ＮＡＣＫを同時に送信する必要が発生する。このような場合に、３ＧＰＰ−ＬＴＥでは１つのＰＵＣＣＨにＣＱＩとＡＣＫ／ＮＡＣＫの両方を多重して送信することが検討されている。
【００１３】
３ＧＰＰ−ＬＴＥで検討されている方式では、比較的多いビット数を搬送できるＣＱＩに用いるチャネルフォーマットをベースとして、これにＡＣＫ／ＮＡＣＫを多重する。具体的には、ＣＱＩだけを送っていた場合の信号をベースとして、これにＡＣＫを多重する場合にはあるルールにしたがって信号を変換し、またＮＡＣＫを多重する場合にはまた別のあるルールにしたがって信号を変換する。信号を変換するルールは、送信側と受信側とで既知であるため、受信した信号を観測することによってＡＣＫとＮＡＣＫのどちらが多重されているかを知ることができるとともに、ＣＱＩの情報を取り出すことができる。
【００１４】
下りリンクのデータを受信するにあたっては、それに先立ってＤＬ−Ｇｒａｎｔという制御情報を受信する。ＤＬ−Ｇｒａｎｔでは、下りリンクで受信すべきデータがあることが通知される。すなわち、ＤＬ−Ｇｒａｎｔを受信し、下りリンクで受信すべきデータがある場合には下りリンクのデータの受信を行う。その結果データを正常に受信できればＰＵＣＣＨを使ってＡＣＫを送信し、正常に受信できなかった場合にはＰＵＣＣＨを使ってＮＡＣＫを送信する。またこれらの際に、ＣＱＩを同時に送信する場合には、ＣＱＩだけをＰＵＣＣＨで送る場合の信号をベースとしてＡＣＫまたはＮＡＣＫのいずれかに対応するルールにしたがって信号を変換させて送信する。
【００１５】
従来の方法では、前述のＤＬ−Ｇｒａｎｔの受信に失敗した場合に問題が発生する可能性がある。ＤＬ−Ｇｒａｎｔは、下りリンクで受信すべきデータがあることを通知する信号である。すなわち、ＤＬ−Ｇｒａｎｔの受信に失敗すると、端末は下りリンクで受信すべきデータがあった場合でも、これに気づくことができない。すなわちこの端末は、ＡＣＫやＮＡＣＫを基地局に対して送信しないことになる（Ｎｏ−ＡＣＫ）。このようなＤＬ−Ｇｒａｎｔの受信失敗と、ＣＱＩの送信タイミングが重なった場合に、次のような問題が発生する。
【００１６】
本来であれば、ＤＬ−Ｇｒａｎｔによって下りリンクで受信すべきデータがあることが通知されているため、端末はＣＱＩとＡＣＫまたはＮＡＣＫを多重してＰＵＣＣＨを送信する必要がある。すなわち、ＣＱＩだけをＰＵＣＣＨで送る場合の信号をベースとして、これにＡＣＫまたはＮＡＣＫのいずれかに対応するルールにしたがって信号を変換させて送信する必要がある。しかしながら、この端末は、ＤＬ−Ｇｒａｎｔの受信を失敗しているため、ＡＣＫまたはＮＡＣＫを送信する必要があることに気づくことができず、ＣＱＩだけをＰＵＣＣＨで送信してしまう。一方、基地局側では、端末がＤＬ−Ｇｒａｎｔの受信に失敗したことを知ることができないため、ＣＱＩだけをＰＵＣＣＨで送る場合の信号をベースとしてＡＣＫまたはＮＡＣＫのいずれかに対応するルールにしたがって信号が変換させられて送信されてくるものと仮定してしまう可能性がある。その場合、基地局はＡＣＫまたはＮＡＣＫが送信されてきたものと誤って判定してしまう可能性がある。例えば、基地局が誤ってＡＣＫが送信されてきたものとして判定した場合、端末がデータを正常に受信できたと判断してしまうため、このデータは再送されなくなってしまう。また、基地局が誤ってＮＡＣＫが送信されてきたものとして判定した場合、再送はされるものの、端末が下りリンクで送信されたデータの復調処理をまだ行っていないことを仮定していないために適切な再送が行えない場合があり、その結果として再送時のデータの受信性能を大きく劣化させてしまう可能性がある。
【００１７】
（第１の実施形態）  
第１の実施形態の無線送信装置について図１を参照して説明する。  
本実施形態の無線送信装置は、第１ビット列生成部１０１、第２ビット列生成部１０２、多重指示部１０３、信号制御部１０４、第１信号生成部１０５、第２信号生成部１０６、スイッチ１０７、無線部１０８を含む。
【００１８】
第１ビット列生成部１０１は、第１ビット列を生成し、第１信号生成部１０５および第２信号生成部１０６に第１ビット列を出力する。第１ビット列は例えばＣＱＩである。
【００１９】
第２ビット列生成部１０２は、第２ビット列を生成し、信号制御部１０４に第２ビット列を出力する。第２ビット列は例えばＡＣＫまたはＮＡＣＫである。
【００２０】
多重指示部１０３は、第１ビット列および前記第２ビット列の多重の有無を指示する。多重指示部１０３は、例えば、ＣＱＩとＡＣＫまたはＮＡＣＫとの多重が必要であるかどうかを指示する。ＣＱＩを送信するタイミングは予め基地局から指示されているので、ＣＱＩを送信する周期は常に一定である。しかし、ＡＣＫまたはＮＡＣＫの場合には、例えば、ステップＳ４０１のようにＤＬ−Ｇｒａｎｔの復調失敗の場合にのみＡＣＫまたはＮＡＣＫの送信タイミングでないと判断する。
【００２１】
信号制御部１０４は、第２ビット列と多重指示部１０３からの多重の有無の指示とを受け取り、第１信号生成部１０５または第２信号生成部１０６に信号の生成を指示する信号生成制御信号を出力する。また、信号制御部１０４は、この信号生成制御信号に応じてスイッチ１０７を切り替える切替制御信号をスイッチ１０７に出力する。  
信号制御部１０４は、多重指示部１０３により多重無しと指示された場合、または、多重指示部１０３により多重有りと指示されて、かつ、第２ビット列が第１値を持つ場合には、第１ビット列を用いて第１信号を生成するように第１信号生成部１０５に信号生成制御信号を出力する。また、信号制御部１０４は、多重指示部１０３により多重有りと指示されて、かつ、第２ビット列が第１値以外の値を持つ場合には、第１ビット列を用いて第２信号を生成するように第２信号生成部１０６に信号生成制御信号を出力する。
【００２２】
第１信号生成部１０５は、信号制御部１０４から信号生成制御信号を受け取った場合には、第１ビット列を用いて第１信号を生成し、スイッチ１０７へ出力する。第１信号は例えばＮｏ−ＡＣＫまたはＮＡＣＫをあらわしている。
【００２３】
第２信号生成部１０６は、信号制御部１０４から信号生成制御信号を受け取った場合には、第１ビット列を用いて第２信号を生成し、スイッチ１０７へ出力する。第２信号は例えばＡＣＫをあらわしている。
【００２４】
スイッチ１０７は、信号制御部１０４からの切替制御信号に応じてスイッチを切り替え、第１信号生成部１０５または第２信号生成部１０６と無線部１０８とを接続する。スイッチ１０７は、第１信号生成部１０５が第１信号を生成した場合には第１信号生成部１０５と無線部１０８とを接続し、第２信号生成部１０６が第２信号を生成した場合には第２信号生成部１０６と無線部１０８とを接続する。
【００２５】
無線部１０８は、第１信号生成部１０５または第２信号生成部１０６が生成した信号を無線通信装置（例えば、基地局）宛に送信する。
【００２６】
また、変形例として、第２ビット列生成部１０２が生成する第２ビット列が第１値を持つかどうかを示す制御信号を信号制御部１０４に出力して、信号制御部１０４は、この制御信号に応じて信号生成制御信号を生成し、この信号生成制御信号に対応して第１信号生成部１０５または第２信号生成部１０６に信号生成制御信号を出力してもよい。
【００２７】
このようにして信号を生成した場合、第１ビット列のみを送信する場合と、第１値をもつ第２ビット列と第１ビット列とを多重する場合の両方で同じ信号が生成される。すなわち、言い換えると、この無線送信装置が、第１値を持つ第２ビット列と第１ビット列を多重する必要がある場合に、正常な動作をして多重を行った場合においても第１信号が生成され、何らかの正常でない動作をして多重を行う必要がないと判断してしまった場合においても第１信号が生成される。この第１信号を受信した相手無線装置は、第２ビット列として第１値が送信されてきたものと判定することができる。したがって、本実施形態によれば、第１ビット列と第２ビット列とを多重する必要があることに気づかなかった場合においても、第２ビット列として第１値を多重したことに相当する信号を送信するために、これを受信した相手無線装置が第１値以外と判定してしまう可能性を小さくすることができるという効果が得られる。
【００２８】
次に、例えば３ＧＰＰ−ＬＴＥのＰＵＣＣＨで送信するＣＱＩとＡＣＫ／ＮＡＣＫである場合について図２、図３、図４を参照して説明する。  
この場合、ＣＱＩは第1ビット列、ＡＣＫまたはＮＡＣＫは第２ビット列と考えることができる。無線送信装置（端末）は、基地局から到来したＤＬ−Ｇｒａｎｔを受信して（ステップＳ２０１）、下りリンクのデータであるＤＳＣＨ（Downlink Shared Channel）を受信する必要があるかどうかを判断する。受信すべきＤＳＣＨがある場合には、これを受信した上で、正常に受信できた場合（ステップＳ２０２）にはＰＵＣＣＨを使ってＡＣＫ（第２信号）を送信し、正常に受信できなかった場合（ステップＳ３０１、復調ミスと呼ぶ）にはＮＡＣＫ（第１信号）を送信する。また、この際に、同時にＣＱＩを送信する必要がある場合には、ＣＱＩにＡＣＫ／ＮＡＣＫを多重して送信する。なお、ＣＱＩをいつ基地局へ送信するかは、予め基地局から通知されているので、ＣＱＩの送信時刻は端末と基地局で認識されている。
【００２９】
第１の実施形態によれば、多重指示部１０３によってＣＱＩとＡＣＫ／ＮＡＣＫの多重が必要であることが指示され、また第２ビット列生成部１０２からはＡＣＫまたはＮＡＣＫに対応するビット列が生成される。第１値をＮＡＣＫとすると、第２ビット列がＮＡＣＫである場合には第１信号が生成され（ステップＳ３０２）、第２ビット列がＡＣＫである場合には第２信号が生成される（ステップＳ２０３）。またさらに、無線送信装置がＤＬ−Ｇｒａｎｔの受信に失敗し、受信すべきＤＳＣＨがあることに気づかなかった場合（ステップＳ４０１、受信ミスと呼ぶ）には、多重指示部１０３によってＣＱＩとＡＣＫ／ＮＡＣＫの多重が必要でないことが指示され、第１信号が生成される（ステップＳ３０２）。
【００３０】
すなわち、これらをまとめると、ＣＱＩとＡＣＫ／ＮＡＣＫの多重が必要な場合であって第２信号が生成されるのは、端末がＤＬ−Ｇｒａｎｔの受信およびＤＳＣＨの受信の両方を正常に行った場合（図２）である。一方、ＣＱＩとＡＣＫ／ＮＡＣＫの多重が必要な場合であって第１信号が生成されるのは、端末がＤＬ−Ｇｒａｎｔの受信に失敗した場合（図４）、または、ＤＬ−Ｇｒａｎｔの受信を正常に行ったのちにＤＳＣＨの受信に失敗した場合（図３）のいずれかの場合である。
【００３１】
図３に示すように、第１信号を受信した相手無線装置は、第１ビット列に第１値からなる第２ビット列が多重されていると判断する。この場合、第１値はＮＡＣＫであるので、相手無線装置はこの無線送信装置からＮＡＣＫが送信されてきたと判断することができる。すなわち、図４に示されているように、無線送信装置がＤＬ−Ｇｒａｎｔの受信に失敗した場合には第１信号を生成するため、このような場合に相手無線装置がこれをＡＣＫであると誤って判定してしまう可能性を小さくすることができる。これにより、この無線送信装置がＤＳＣＨを正常に受信していないにもかかわらず、相手無線装置があやまってＡＣＫと判定してデータを再送しなくなるという問題が発生する可能性を小さくすることができる。
【００３２】
次に、第１信号生成部１０５および第２信号生成部１０６について図５、図６、図７を参照して説明する。第１信号生成部１０５および第２信号生成部１０６の基本的な動作は同じであるため、ここでは共通な動作を説明するにあたっては両方を合わせて信号生成部として説明する。
【００３３】
信号生成部は、例えば図５に示すように、ビット列を符号化する符号化部５０１と、ビット列を変調する変調部５０２とからなってもよい。また、例えば図６に示すように、変調した信号にある波形を乗じる波形生成部６０１をさらに具備してもよい。また、図５、図６のいずれの場合でも、符号化部５０１は取り除いてもよい。その場合は、符号化部５０１に入力されていたビット列がそのまま変調部５０２に入力される。以下、符号化部５０１、変調部５０２、波形生成部６０１のそれぞれについて詳細な動作を説明する。
【００３４】
＜符号化部５０１＞  
符号化部５０１はビット列に符号化を施すものである。符号化とは、あらかじめ定められたルールにしたがってビット列を変換する手段を表している。特に無線通信では、入力されたビット列のサイズに対して、符号化後のビット列のサイズが大きくなるような変換からなる符号化がよく用いられる。このようにすることで、符号化後のビット列に冗長な情報を含むために、ある程度誤りが発生した場合においても、その誤りを訂正して元のビット列を復元する復号処理を施すことができるようになる。例えば２ビットのビット列を符号化によって４ビットにする場合を例にあげて説明する。２ビットのビット列は、
［０，０］、［０，１］、［１，０］、［１，１］        （１）
の４つの系列がある。これら４つの系列に対してあるルールにしたがって符号化して４ビットにする。例えば、これらを２回繰り返すルールとした場合、それぞれ以下のように符号化される。  
［０，０，０，０］、［０，１，０，１］、［１，０，１，０］、［１，１，１，１］        （２）
また、ビット反転したのち繰り返すルールとした場合、
［０，０，１，１］、［０，１，１，０］、［１，０，０，１］、［１，１，０，０］        （３）
のようになる。このように、同じ入力および同じ出力のビットサイズでも符号化のやり方は複数存在する。以下ではこのような符号化で行う変換ルールのことをＣｏｄｅｂｏｏｋと表すことにする。すなわち、上述の例では１つ目のＣｏｄｅｂｏｏｋでは式（１）から式（２）に変換する変換の対応付けが規定されている。すなわち、例えば［０，０］を［０，０，０，０］に変換することが規定されている。同様に、２つ目のＣｏｄｅｂｏｏｋでは式（１）から式（３）に変換する対応付けが規定されている。
【００３５】
式（２）と式（３）を比較すると、これら８つの系列の中には同じ系列が含まれていないことが分かる。このような場合には、符号化後の系列をみることで、符号化にどちらのＣｏｄｅｂｏｏｋを用いたのかを判定することができる。例えば、［０，１，１，０］というビット列が与えられた場合、これは２つ目のＣｏｄｅｂｏｏｋを用いて符号化したことが分かり、また符号化前のビット列は［０，１］であることが分かる。
【００３６】
＜変調部５０２＞  
変調部５０２は入力されたビット列に変調を施すものである。変調とは、与えられたビット列をＩ，Ｑの複素平面にマッピングする処理をあらわしている。例えばＱＰＳＫでは、与えられたビット列を２ビットずつ
［０，０］、［０，１］、［１，０］、［１，１］        （４）
のように組にして、それぞれの組に対してＩ，Ｑの複素平面に
（＋１／√２，＋１／√２）、（−１／√２，＋１／√２）、（−１／√２，−１／√２）、（＋１／√２，−１／√２）        （５）
のようにマッピングする。ただし、式（５）ではＩとＱの値からなる複素数値を（Ｉ，Ｑ）のように表している。このようにすることで、Ｉ，Ｑの複素平面の値から、元の２ビットを復元することができる。ＱＰＳＫの場合は、２ビットずつ変調が行われるため、入力されたビット列のサイズに対して出力される変調後の複素数値のサイズは１／２になる。また、１６ＱＡＭの変調をする場合は４ビットずつ変調が行われるため、入力されたビット列のサイズに対して出力される変調後の複素数値のサイズは１／４になる。
【００３７】
ＱＰＳＫ変調を行う場合、式（５）以外のマッピングを用いることも可能である。例えば式（５）の値の位相を４５度ずつずらして
（＋１，０）、（０，＋１）、（−１，０）、（０，−１）        （６）
のようにマッピングしてもよい。以下では式（５）や式（６）に示されるマッピングのパターンのことをマッピングパターンと呼ぶこととする。
【００３８】
式（５）と式（６）を比較すると、これら８つの複素数値の中には同じ値が含まれていないことが分かる。このような場合には、変調後の複素数値をみることで、変調にどちらのマッピングパターンを用いたのかを判定することができる。例えば、（−１／√２，＋１／√２）という複素数値が与えられた場合、これは式（５）に対応するマッピングパターンを用いて変調したことが分かり、また変調前のビット列は［０，１］であることが分かる。
【００３９】
＜波形生成部６０１＞  
波形生成部６０１は変調した信号毎にある波形を乗じる処理を行う。例えば、変調して生成された複素数値Ｘが入力された場合に、このＸに信号波形Ｓ（ｔ）を乗じたＸ×Ｓ（ｔ）という波形を生成する。このようにして生成された波形に対しては、Ｓ（ｔ）の複素共役を乗じて積分をすることによってＸを復元することが可能である。Ｓ（ｔ）として用いる波形としては、例えばＣＡＺＡＣ（Constant Amplitude Zero Auto-Correlation）系列を用いてもよい。また、ＣＡＺＡＣ系列をＩＦＦＴまたはＩＤＦＴによって変換した信号を用いてもよい。ＩＦＦＴまたはＩＤＦＴによって変換したＣＡＺＡＣ系列を用いる場合においては、ＣＡＺＡＣ系列にＸを乗じた後に、ＩＦＦＴまたはＩＤＦＴによって変換を施してもよい。ＩＦＦＴおよびＩＤＦＴは線形演算であるので、このようにＸを先に乗じた場合においても同じ信号波形が生成される。
【００４０】
変調して生成された複素数値Ｘ１、Ｘ２、Ｘ３、Ｘ４、Ｘ５にＳ（ｔ）を乗じて信号波形を生成する際に、送受信期間で既知である複素数値Ｙ１、Ｙ２を合わせて乗じてもよい。例えば図７に示されるように信号７０１、７０２、７０３、７０４、７０５がそれぞれＸ１×Ｓ（ｔ）、Ｘ２×Ｓ（ｔ）、Ｘ３×Ｓ（ｔ）、Ｘ４×Ｓ（ｔ）、Ｘ５×Ｓ（ｔ）で、信号７０６、７０７がそれぞれＹ１×Ｓ（ｔ）、Ｙ２×Ｓ（ｔ）となるようにしてもよい。このようにすると、Ｙ１およびＹ２は送受信期間で既知であるため、この信号を使って伝送路を推定することができる。
【００４１】
（符号化部の動作が異なる）  
第１信号生成部１０５および第２信号生成部１０６は、例えば図５または図６に示される構成をとっている場合に、符号化部の動作が異なっていてもよい。例えば、第１信号生成部１０５および第２信号生成部１０６のそれぞれに含まれる符号化部において用いられるＣｏｄｅｂｏｏｋが異なっていてもよい。例えば式（１）、式（２）、式（３）を用いて説明したように２つのＣｏｄｅｂｏｏｋが規定されている場合、第１信号生成部１０５に含まれる符号化部では１つ目のＣｏｄｅｂｏｏｋを、第２信号生成部１０６に含まれる符号化部では２つ目のＣｏｄｅｂｏｏｋを用いてもよい。前述のように、２つのＣｏｄｅｂｏｏｋで変換された後のビット列に重複がない場合には、符号化後のビット列から、どちらのＣｏｄｅｂｏｏｋを用いたかを判定することができる。すなわち、無線送信装置から送信された信号を受信した相手無線装置においても、無線送信装置においてどちらのＣｏｄｅｂｏｏｋを用いたのかを判定することができる。すなわち、相手無線装置において第１信号が到来したのか第２信号が到来したのかを判定することができる。また前述のとおり、合わせて第１ビット列を復元することも可能である。
【００４２】
（変調部の動作が異なる）  
第１信号生成部１０５および第２信号生成部１０６は、例えば図５または図６に示される構成をとっている場合に、変調部の動作が異なっていてもよい。例えば、第１信号生成部１０５および第２信号生成部１０６のそれぞれに含まれる変調部において用いられるマッピングパターンが異なっていてもよい。例えば式（４）、式（５）、式（６）を用いて説明したように２つのマッピングパターンが規定されている場合、第１信号生成部１０５に含まれる変調部では１つ目のマッピングパターンを、第２信号生成部１０６に含まれる変調部では２つ目のマッピングパターンを用いてもよい。前述のように、２つのマッピングパターンで変調された後の複素数値に重複がない場合には、変調後の複素数値から、どちらのマッピングパターンを用いたかを判定することができる。すなわち、無線送信装置から送信された信号を受信した相手無線装置においても、無線送信装置においてどちらのマッピングパターンを用いたのかを判定することができる。すなわち、相手無線装置において第１信号が到来したのか第２信号が到来したのかを判定することができる。また前述のとおり、合わせて変調前のビット列を復元することができるため、これを用いて第１ビット列を復元することも可能である。
【００４３】
（変調部と符号化部の動作が異なる）  
第１信号生成部１０５および第２信号生成部１０６は、例えば図５または図６に示される構成をとっている場合に、符号化部と変調部の両方の動作が互いに異なっていてもよい。例えば、第１信号生成部１０５および第２信号生成部１０６のそれぞれに含まれる変調部において用いられるマッピングパターンが異なっており、第１信号生成部１０５および第２信号生成部１０６のそれぞれに含まれる符号化部において用いられるＣｏｄｅｂｏｏｋが異なっていてもよい。この場合においても、無線送信装置から送信された信号を受信した相手無線装置において、無線送信装置においてどちらのマッピングパターンを用いたのかを判定することができる。すなわち、相手無線装置において第１信号が到来したのか第２信号が到来したのかを判定することができる。
【００４４】
なお、従来の発明においては、ＣＱＩだけを送信する場合と、ＣＱＩにＡＣＫを多重した場合と、ＣＱＩにＮＡＣＫを多重した場合とでそれぞれ異なる信号を生成していた。そのため、端末がＤＬ−Ｇｒａｎｔの受信に失敗してＡＣＫ／ＮＡＣＫを多重する必要があることに気づかなかった場合に、ＣＱＩにＡＣＫもＮＡＣＫも多重しない信号を送信してしまう。これを受信した基地局では、端末においてＤＬ−Ｇｒａｎｔの受信に失敗したことに気づくことができないために、ＡＣＫとＮＡＣＫを誤って判定してしまう場合があるという問題がある。ただし、このような場合に基地局において、端末がＤＬ−Ｇｒａｎｔの受信に失敗する可能性があることを仮定すれば、ある程度問題を緩和することも可能である。すなわち基地局では、ＣＱＩだけが送られてくる場合と、ＣＱＩとＡＣＫが多重された信号が送られてくる場合と、ＣＱＩとＮＡＣＫが多重された信号が送られてくる場合の３つの可能性を想定して受信すればよい。このようにすれば、受信した信号をみてＣＱＩだけが送られてきたと正常に判定できた場合には、ＡＣＫやＮＡＣＫと誤って判定してしまう問題を小さくすることも可能である。ただし、本実施形態で上述した手法が２つの可能性から１つを判定する方式であるのに対して、この方法を用いた場合には３つの可能性のなかから１つを判定する方式となる。すなわち判定する候補が多い分だけ、本実施形態で上述した手法と比べれば誤って判定する可能性が高くなる。すなわち、ＣＱＩだけが送られてきたにもかかわらず、これにＡＣＫやＮＡＣＫが多重されていると判定してしまう可能性は依然として存在する。さらに詳細には、本実施形態で上述した手法によって第１信号を送信したにもかかわらず基地局でこれを第２信号であると誤って判定してしまう可能性と比べて、ここで説明した方法でＣＱＩだけを送った場合に、ＣＱＩにＡＣＫやＮＡＣＫを多重していると誤って判定されてしまう可能性の方が高くなる。この問題をさらに小さくするためには、例えばこのような場合のＰＵＣＣＨの信号電力を大きくすることが考えられる。信号電力を大きくすることによってＳＮＲ（Signal to Noise Ratio）が良くなり、誤って判定する可能性が小さくなる。
【００４５】
以上に示した第１の実施形態によれば、第１値を持つ第２ビット列と第１ビット列を多重する必要がある場合に、正常な動作をして多重を行った場合においても第１信号が生成され、何らかの正常でない動作をして多重を行う必要がないと判断してしまった場合においても第１信号が生成されるので、第１ビット列と第２ビット列とを多重する必要があることに気づかなかった場合においても、第２ビット列として第１値を多重したことに相当する信号を送信するために、これを受信した相手無線装置が第１値以外と判定してしまう可能性を小さくすることができる。
【００４６】
（第２の実施形態）  
第２の実施形態の無線送信装置について図８を参照して説明する。  
本実施形態は、第１の実施形態の第１信号生成部１０５と第２信号生成部１０６とが、１つの信号生成部である第１／２信号生成部８０１に変更されたことのみが第１の実施形態と異なる。
【００４７】
第１／２信号生成部８０１は、第１ビット列を用いて第１信号を生成する指示を含む信号生成制御信号を信号制御部１０４から受け取った場合には第１ビット列を用いて第１信号を生成し無線部１０８に出力し、第１ビット列を用いて第２信号を生成する指示を含む信号生成制御信号を信号制御部１０４から受け取った場合には第１ビット列を用いて第２信号を生成し無線部１０８に出力する。
【００４８】
このようにして構成した無線送信装置の効果は基本的に第１の実施形態と同様である。本実施形態のように第１信号生成部１０５と第２信号生成部１０６を共有化することにより、装置を簡略化できるという効果が新たに得られる。
【００４９】
次に、第１／２信号生成部８０１の動作の一例について図５、図６、図９、図１０、図１１、図１２、図１３、図１４を参照して説明する。  
第１／２信号生成部８０１は、第１の実施形態における第１信号生成部１０５と第２信号生成部１０６の２つの機能をまとめたものであり、基本的な動作は等価である。図５や図６に示される第１信号生成部１０５および第２信号生成部１０６の機能について、第１／２信号生成部においては、同一の動作をする機能については共通化することができる。そのため装置を簡略化できる。例えば、第１信号生成部１０５と第２信号生成部１０６のそれぞれにおける符号化部の動作が同じ場合にはこれらを共通化してもよい。また同様に、第１信号生成部１０５と第２信号生成部１０６のそれぞれにおける変調部の動作が同じ場合にはこれらを共通化してもよい。またさらに同様に、波形生成部の動作が同じ場合にはこれらを共通化してもよい。
【００５０】
また、図９、図１０に示すように、符号化部および変調部に信号制御部１０４からの信号を入力させ、この入力信号に応じて符号化部９０１および変調部９０２の動作を変えるようにしてもよい。例えば信号制御部１０４から第１信号を生成するように指示する信号が入力された場合には、符号化部９０１および変調部９０２を、第１信号を生成するためのＣｏｄｅｂｏｏｋおよびマッピングパターンにして動作させ、第２信号を生成するように指示する信号が入力された場合には、符号化部９０１および変調部９０２を、第２信号を生成するためのＣｏｄｅｂｏｏｋおよびマッピングパターンにして動作させればよい。
【００５１】
また、図９および図１０の構成において符号化部９０１は、各Ｃｏｄｅｂｏｏｋで符号化する符号化部を内部にもち、それらをスイッチで切り替える構成をとってもよい。同様に、変調部９０２についても各マッピングパターンにして動作する変調部を内部にもち、それらをスイッチで切り替える構成をとってもよい。またさらに、信号制御部１０４からの信号によらず変調部の動作を同一にする場合には、図１１、図１２のように変調部５０２には信号制御部１０４からの信号を入力しなくてもよい。同様に、信号制御部１０４からの信号によらず符号化部の動作を同一にする場合には、図１３、図１４のように符号化部５０１には信号制御部１０４からの信号を入力しなくてもよい。このようにして構成した第１／２信号生成部８０１においても、第１の実施形態における第１信号生成部１０５と第２信号生成部１０６と等価な信号を生成できる。
【００５２】
（符号化部の動作が異なる）  
第１／２信号生成部８０１は、図１１、図１２のような構成をとり、第１信号と第２信号を生成する際に用いる符号化方法を異なるものにしてもよい。例えば、第１信号を生成する際と、第２信号を生成する際とで、異なるＣｏｄｅｂｏｏｋを用いてもよい。詳細は、第１の実施形態での「（符号化部の動作が異なる）」の場合と同様である。
【００５３】
（変調部の動作が異なる）  
第１／２信号生成部８０１は、図１３、図１４のような構成をとり、第１信号と第２信号を生成する際に用いる変調方法を異なるものにしてもよい。例えば、第１信号を生成する際と、第２信号を生成する際とで、異なるマッピングパターンを用いてもよい。詳細は、第１の実施形態での「（変調部の動作が異なる）」の場合と同様である。
【００５４】
（変調部と符号化部の動作が異なる）  
第１／２信号生成部８０１は、図９、図１０のような構成をとり、第１信号と第２信号を生成する際に用いる符号化方法と変調方法の両方を互いに異なるものにしてもよい。例えば、第１信号を生成する際と、第２信号を生成する際とで、異なるＣｏｄｅｂｏｏｋおよびマッピングパターンを用いてもよい。詳細は、第１の実施形態での「（変調部と符号化部の動作が異なる）」の場合と同様である。
【００５５】
以上に示した第２の実施形態によれば、第１の実施形態の効果に加えて、無線送信装置を簡略化することができる。
【００５６】
（第３の実施形態）  
第３の実施形態の無線送信装置について図１５を参照して説明する。  
本実施形態の無線送信装置は、第１の実施形態での第２ビット列生成部１０２と第２信号生成部１０６とが、それぞれ第２ビット列生成部１５０１、第２信号生成部１５０２に変更になることのみが異なる。
【００５７】
第２ビット列生成部１５０１は、第２ビット列を生成し、第２ビット列を第２信号生成部１５０２および信号制御部１０４に出力する。第２ビット列は、ＡＣＫまたはＮＡＣＫである。
【００５８】
第２信号生成部１５０２は、第２ビット列を入力して第２ビット列が第１値以外のどの値を持つかを判定し、信号制御部１０４から信号生成制御信号を受け取った場合には、第１ビット列を用いて、判定した値に対応した第２信号を生成し、スイッチ１０７へ出力する。第２信号は例えばＡＣＫである。
【００５９】
また、変形例として、第２ビット列生成部１５０１が生成する第２ビット列が第１値以外のどの値を持つかを示す制御信号を第２信号生成部１５０２に出力し、第２信号生成部１５０２はこの制御信号に応じて第２信号を生成してもよい。またこの場合、第２ビット列生成部１５０２が生成する第２ビット列が第１値であるかどうかを示す制御信号を信号制御部１０４に入力しても良い。
【００６０】
第３の実施形態にもとづいて信号を生成した場合にも、第１の実施形態と同様の効果を得ることができる。すなわち、第１ビット列と第２ビット列を多重する必要があることに気づかなかった場合においても、第２ビット列として第１値を多重したことに相当する信号を送信するために、これを受信した相手無線装置が第１値以外と判定してしまう可能性を小さくすることができるという効果が得られる。第１ビット列のみを送信する場合と、第１値をもつ第２ビット列と第１ビット列とを多重する場合の両方で第１信号を生成するために、この無線装置が何らかの正常でない動作をして多重を行う必要がないと判断してしまった場合においても第１信号が生成される。したがって、これを受信した相手無線装置が、この信号を第１値以外と判定してしまう可能性を小さくすることができるという効果が得られる。
【００６１】
第３の実施形態においてはこの効果に加えて、次に説明する効果が得られる。  
第２ビット列が１ビットであった場合、第２ビット列が持ちえる値は２通りしかない。すなわち第１値以外の値としては１つしかない。第２信号が生成されるのは、第２ビット列が第１値以外の場合であるので、第２信号を生成する際に第２ビット列として可能性がある値は１通りしかないことになる。すなわち、第２信号を生成するにあたっては、第２ビット列の値は予め１つの値に限定されていることになる。したがって、第１の実施形態で示されているように、第１ビット列だけを用いて信号を生成しても、第２ビット列を用いたときと同様の信号を生成することができる。
【００６２】
一方、第２ビット列が２ビット以上の値を持つ場合、第２ビット列が持ちえる値は４通り以上になる。すなわち、第１値以外の値は３通り以上あることになる。本実施形態によれば、第１ビット列と合わせて第２ビット列も用いて第２信号を生成することができるため、第２信号によって第１値以外の値を搬送することが可能となる。
【００６３】
次に、例えば３ＧＰＰ−ＬＴＥのＰＵＣＣＨで送信するＣＱＩとＡＣＫ／ＮＡＣＫである場合について図２、図４を参照して説明する。  
３ＧＰＰ−ＬＴＥでは、ＤＬ−Ｇｒａｎｔによって受信すべきＤＳＣＨがあることを通知する。この際、同時に２つ以上のデータを受信する必要がある場合がある。その場合には、ＡＣＫ／ＮＡＣＫの情報も２ビット以上になる場合がある。２ビット以上の情報を使って示されるＡＣＫ／ＮＡＣＫのうち、少なくとも１つがいずれのデータも正常に受信できなかったことを示す情報、また少なくとも１つがいずれのデータも正常に受信できたことを示す情報、そしてそれ以外は部分的に受信できたことを示す情報となる。このような場合には、いずれのデータも正常に受信できなかったことを示す情報を第１値とする。このようにすると、いずれのデータも正常に受信できなかった場合にも、ＤＬ−Ｇｒａｎｔの受信に失敗して（ステップＳ４０１）ＣＱＩとＡＣＫ／ＮＡＣＫを多重する必要があることに気づかなかった場合にも第１信号が生成される（ステップＳ３０２）。これにより、端末が誤ってＤＬ−Ｇｒａｎｔの受信に失敗した場合においても第１値を多重したことに相当する第１信号が生成されるため、これを受信した相手無線装置は第１値以外の値と誤って判定してしまう可能性を小さくすることができる。  
また、ＤＬ−Ｇｒａｎｔを正常に受信し（ステップＳ２０１）、その結果としてＡＣＫ／ＮＡＣＫが第１値以外の値を持っていた場合（ステップＳ２０２）、第２信号に多重されて搬送されるため（ステップＳ２０３）、第１値以外の値についても相手無線装置に対して通知することができる。
【００６４】
次に、第１信号生成部１０５および第２信号生成部１５０２について図５、図６、図９、図１０、図１１、図１２、図１３、図１４を参照して説明する。  
第３の実施形態における第１信号生成部１０５の構成は、第１の実施形態における第１信号生成部１０５と基本的に同じであり、図５または図６のような構成をとる。一方、第３の実施形態における第２信号生成部１５０２は、第１の実施形態における第２信号生成部１０６とは異なり、第２ビット列自体、もしくは第２ビット列が第１値以外のどの情報を持つかを示す制御情報も入力として受ける。この場合の第２信号生成部１５０２の構成は、図９、図１０、図１１、図１２、図１３、図１４に示されるものになる。本実施形態での符号化部、変調部が入力する信号は、第１の実施形態とは異なり、信号制御部１０４からの制御信号だけでなく、第２ビット列生成部１５０１からの第２ビット列も入力する。すなわち、本実施形態の第２信号生成部１５０２は、入力された第２ビット列に応じて、符号化部、変調部またはその両方の動作を変える。
【００６５】
例えば、入力された第２ビット列に応じて、符号化に用いるＣｏｄｅｂｏｏｋを変えたり、変調に用いるマッピングパターンを変えたりする。第２ビットの値に応じて符号化と変調の両方を変えたい場合には図９または図１０の構成を、符号化だけを変えたい場合には図１１または図１２の構成を、変調だけを変えたい場合には図１３または図１４の構成をそれぞれとればよい。前述のように、Ｃｏｄｅｂｏｏｋで符号化後のビットに重複がないように選んでいれば符号化後のビットから符号化に用いたＣｏｄｅｂｏｏｋを判定することができる。この性質を用いて、第２ビット列の値に応じてＣｏｄｅｂｏｏｋを変えることによって、第２ビット列の情報を第２信号で送ることができる。同様に、マッピングパターンについても変調後の複素数値に重複がないように選べば、変調後の複素数値から変調に用いたマッピングパターンを判定することができるので、Ｃｏｄｅｂｏｏｋの場合と同様にして、第２ビット列の値に応じてＣｏｄｅｂｏｏｋを変えることによって、第２ビット列の情報を第２信号で送ることができる。第２ビット列の値に応じてＣｏｄｅｂｏｏｋとマッピングパターンを変える場合には、第２ビット列の値毎にＣｏｄｅｂｏｏｋとマッピングパターンの少なくともいずれか一方が変っていれば、第２ビット列の値を判定することは可能である。例えば、第２ビット列の値が第２値、第３値、第４値の３通りある場合に、Ｃｏｄｅｂｏｏｋを２つ、マッピングパターンを２つ用意して、  
第２値：Ｃｏｄｅｂｏｏｋ１、マッピングパターン２  
第３値：Ｃｏｄｅｂｏｏｋ２、マッピングパターン１  
第４値：Ｃｏｄｅｂｏｏｋ２、マッピングパターン２  
というように割り当てれば、第２値、第３値、第４値を判定できる。またこの際には、第１信号生成部１０５における符号化部ではＣｏｄｅｂｏｏｋ１を、変調部ではマッピングパターン１を使っていることが望ましい。そうすることにより、第１信号であるか第２信号であるかについても合わせて判定することが可能となる。一方、変調部の動作を変化させない場合には、第２信号生成部１５０２の符号化部においては少なくとも３つのＣｏｄｅｂｏｏｋが必要になる。同様に、符号化部の動作を変化させない場合には、第２信号生成部１５０２の変調部においては少なくとも３つのマッピングパターンが必要になる。
【００６６】
以上に示した第３の実施形態によれば、第１の実施形態の効果に加えて、第２ビット列に２ビット以上の値を持たせることによって、第２ビット列が持ちえる値は４通り以上になるので、第１ビット列と合わせて第２ビット列も用いて第２信号を生成することができるため、第２信号によって第１値以外の値を搬送することが可能となる。
【００６７】
（第４の実施形態）  
第４の実施形態の無線送信装置について図１６を参照して説明する。  
本実施形態は、第３の実施形態の第１信号生成部１０５と第２信号生成部１５０２とが、１つの信号生成部である第１／２信号生成部１６０１に変更されたことのみが第３の実施形態と異なる。
【００６８】
第１／２信号生成部１６０１は、第１ビット列を用いて第１信号を生成する指示を含む信号生成制御信号を信号制御部１０４から受け取った場合には第１ビット列を用いて第１信号を生成し無線部１０８に出力し、第１ビット列を用いて第２信号を生成する指示を含む信号生成制御信号を信号制御部１０４から受け取った場合には、第２ビット列を入力して第２ビット列が第１値以外のどの値を持つかを判定し、第１ビット列を用いて、判定した値に対応した第２信号を生成し無線部１０８に出力する。
【００６９】
このようにして構成した無線送信装置の効果は基本的に第３の実施形態と同様である。本実施形態のように第１信号生成部１０５と第２信号生成部１５０２を共有化することにより、装置を簡略化できるという効果が新たに得られる。なお、例えば、第１／２信号生成部１６０１と信号制御部１０４とを同一のモジュールとしても装置を簡略化できる可能性がある。
【００７０】
次に、第１／２信号生成部１６０１の動作の一例について図５、図６、図９、図１０、図１１、図１２、図１３、図１４を参照して説明する。  
第１／２信号生成部１６０１は、第３の実施形態における第１信号生成部１０５と第２信号生成部１５０２の２つの機能をまとめたものであり、基本的な動作は等価である。図５、図６、図９、図１０、図１１、図１２、図１３、図１４に示される第１信号生成部１０５および第２信号生成部１５０２の機能について、第１／２信号生成部１６０１においては、同一の動作をする機能については共通化することができる。そのため装置を簡略化できる。例えば、第１信号生成部１０５と第２信号生成部１５０２のそれぞれにおける符号化部の動作が同じ場合にはこれらを共通化してもよい。また同様に、第１信号生成部１０５と第２信号生成部１５０２のそれぞれにおける変調部の動作が同じ場合にはこれらを共通化してもよい。またさらに同様に、波形生成部６０１の動作が同じ場合にはこれらを共通化してもよい。
【００７１】
また、図９、図１０に示すように、符号化部９０１および変調部９０２に信号制御部１０４からの信号と第２ビット列を入力させ、これらの入力信号に応じて符号化部９０１および変調部９０２の動作を変えるようにしてもよい。例えば信号制御部１０４から第１信号を生成するように指示する信号が入力された場合には、符号化部９０１および変調部９０２を、第１信号を生成するためのＣｏｄｅｂｏｏｋおよびマッピングパターンにして動作させ、信号制御部１０４から第２信号を生成するように指示する信号が入力された場合には、第２ビット列の値に応じて設定したＣｏｄｅｂｏｏｋおよびマッピングパターンにして符号化部９０１および変調部９０２を動作させればよい。
【００７２】
また、図９および図１０の構成において符号化部９０１は、各Ｃｏｄｅｂｏｏｋで符号化する符号化部を内部にもち、それらをスイッチで切り替える構成をとってもよい。同様に、変調部９０２についても各マッピングパターンにして動作する変調部を内部にもち、それらをスイッチで切り替える構成をとってもよい。またさらに、信号制御部１０４からの信号や第２ビット列の値によらず変調部の動作を同一にする場合には、図１１、図１２のように変調部５０２には信号制御部１０４からの信号を入力しなくてもよい。同様に、信号制御部１０４からの信号や第２ビット列の値によらず符号化部の動作を同一にする場合には、図１３、図１４のように符号化部５０１には信号制御部１０４からの信号を入力しなくてもよい。このようにして構成した第１／２信号生成部においても、第１の実施形態における第１信号生成部１０５と第２信号生成部１０６と等価な信号を生成できる。
【００７３】
信号制御部１０４からの信号と第２ビット列の値に応じてＣｏｄｅｂｏｏｋとマッピングパターンを変える場合には、第２ビット列の値毎にＣｏｄｅｂｏｏｋとマッピングパターンの少なくともいずれか一方が変っていれば、第２ビット列の値を判定することは可能である。例えば、第２ビット列の値が第２値、第３値、第４値の３通りある場合に、Ｃｏｄｅｂｏｏｋを２つ、マッピングパターンを２つ用意して、
第１信号        ：Ｃｏｄｅｂｏｏｋ１、マッピングパターン１
第２信号、第２値：Ｃｏｄｅｂｏｏｋ１、マッピングパターン２
第２信号、第３値：Ｃｏｄｅｂｏｏｋ２、マッピングパターン１
第２信号、第４値：Ｃｏｄｅｂｏｏｋ２、マッピングパターン２
というように割り当てれば、第１信号であるか第２信号であるかと合わせて、第２信号に多重された第２ビット列の値が第２値、第３値、第４値のいずれであるかを判定することが可能となる。同様にして、
第１信号        ：Ｃｏｄｅｂｏｏｋ１、マッピングパターン１
第２信号、第２値：Ｃｏｄｅｂｏｏｋ２、マッピングパターン１
第２信号、第３値：Ｃｏｄｅｂｏｏｋ１、マッピングパターン２
第２信号、第４値：Ｃｏｄｅｂｏｏｋ２、マッピングパターン２
というように割り当てても、第１信号であるか第２信号であるかと合わせて、第２信号に多重された第２ビット列の値が第２値、第３値、第４値のいずれであるかを判定することが可能となる。
【００７４】
一方、変調部の動作を変化させない場合には、第１／２信号生成部１６０１の符号化部においては少なくとも４つのＣｏｄｅｂｏｏｋが必要になる。同様に、符号化部の動作を変化させない場合には、第１／２信号生成部１６０１の変調部においては少なくとも４つのマッピングパターンが必要になる。
【００７５】
また、図７を使って説明したように送受信器間で既知の信号Ｙ１、Ｙ２を送信する場合には、これらを使って第２値、第３値、第４値の一部を送ることも可能である。前述のように、Ｙ１およびＹ２は送受信期間で既知の信号であり、これを使って伝送路を推定することができる。この際、Ｙ１、Ｙ２を使う代わりに、例えばＹ１と−Ｙ２を使って送った場合、伝送路で重畳される歪がある程度以上でなければ、受信機側でＹ１、Ｙ２の代わりにＹ１、−Ｙ２を送信したことを検出することは可能である。そこで、（Ｙ１，Ｙ２）を送信するか、（Ｙ１、−Ｙ２）を送信するかで１ビット分の情報を送ることが可能である。これを使って例えば、
第１信号        ：マッピングパターン１、（Ｙ１，Ｙ２）
第２信号、第２値：マッピングパターン１、（Ｙ１，−Ｙ２）
第２信号、第３値：マッピングパターン２、（Ｙ１，Ｙ２）
第２信号、第４値：マッピングパターン２、（Ｙ１，−Ｙ２）
というようにして信号を生成したり、
第１信号        ：マッピングパターン１、（Ｙ１，Ｙ２）
第２信号、第２値：マッピングパターン２、（Ｙ１，Ｙ２）
第２信号、第３値：マッピングパターン１、（Ｙ１，−Ｙ２）
第２信号、第４値：マッピングパターン２、（Ｙ１，−Ｙ２）
というようにして信号を生成したり、
第１信号        ：Ｃｏｄｅｂｏｏｋ１、（Ｙ１，Ｙ２）
第２信号、第２値：Ｃｏｄｅｂｏｏｋ１、（Ｙ１，−Ｙ２）
第２信号、第３値：Ｃｏｄｅｂｏｏｋ２、（Ｙ１，Ｙ２）
第２信号、第４値：Ｃｏｄｅｂｏｏｋ２、（Ｙ１，−Ｙ２）
というようにして信号を生成したり、
第１信号        ：Ｃｏｄｅｂｏｏｋ１、（Ｙ１，Ｙ２）
第２信号、第２値：Ｃｏｄｅｂｏｏｋ２、（Ｙ１，Ｙ２）
第２信号、第３値：Ｃｏｄｅｂｏｏｋ１、（Ｙ１，−Ｙ２）
第２信号、第４値：Ｃｏｄｅｂｏｏｋ２、（Ｙ１，−Ｙ２）
というようにして信号を生成したりすることでも、第１信号であるか第２信号であるかと合わせて、第２信号に多重された第２ビット列の値が第２値、第３値、第４値のいずれであるかを判定することが可能となる。またこれらの場合、マッピングパターンとＣｏｄｅｂｏｏｋのいずれか一方のみを２通りで変化させればよい。
【００７６】
以上に示した第４の実施形態によれば、第３の実施形態の効果に加えて、無線送信装置を簡略化することができる。
【００７７】
（第５の実施形態）  
第５の実施形態の無線通信装置について図１７を参照して説明する。  
本実施形態の無線通信装置は、無線部１７０１，１７０８、信号復調部１７０２、多重通知部１７０３、ビット列生成部１７０４、符号化部１７０５、送信ビット列選択部１７０６、変調部１７０７を含む。
【００７８】
無線部１７０１は、上述した第１の実施形態から第４の実施形態の無線送信装置から到来する信号を受信する。
【００７９】
多重通知部１７０３は、第１ビット列および第２ビット列の多重の有無を通知する。例えば、ＣＱＩの送信タイミングとＡＣＫ／ＮＡＣＫの送信タイミングのいずれも基地局が端末に対して指示をするものであるため、基地局ではＣＱＩとＡＣＫ／ＮＡＣＫを多重する必要があるかどうかを知ることができる。これによって多重通知部１７０３は多重の有り無しを判定して通知することができる。
【００８０】
信号復調部１７０２は、受信した信号を復調し受信した信号が第１信号であるか第２信号であるかを判別する。
【００８１】
送信ビット列選択部１７０６は、多重通知部１７０３により多重有りと通知され、かつ、信号復調部１７０２により受信信号が第１信号であると判定された場合に、直前に送信した信号と同じ信号からなるデータを選択する。
【００８２】
変調部１７０７と１７０８は、送信ビット列選択部１７０６が選択したデータを無線送信装置宛に送信する。
【００８３】
このようにして構成された無線通信装置から再送されたデータは、相手無線通信装置において直前に送信したデータが受信されなかった場合においても、次の送信で同じ信号を送信する。そのため、直前に送信したデータが受信された場合と同等の受信性能を実現でき、受信性能が大きく劣化する可能性があるという問題を回避することができる。
【００８４】
次に、符号化と再送方法について図１８、図１９、図２０、図２１を参照して説明する。  
符号化とは前述の通り、あるルールにしたがってビット列を変換する手法である。符号化には大きく分けて２つの方式がある。１つ目は、図１８に示すように、元のビット列１８０１を符号化したビット列が、元のビット列と同じビット列１８０２と冗長なビット列１８０３からなるような符号化（以下では組織符号化と呼ぶ）である。２つ目は、図１９に示すように、元のビット列１９０１を符号化したビット列に、元のビット列１９０１と同じビット列が含まれないような符号化（以下では非組織符号化と呼ぶ）である。また図１８のような組織符号化を用いた場合に、ビット列１８０２を情報ビット、ビット列１８０３をパリティビットとそれぞれ呼ぶことにする。また、これらを合わせて符号化ビットと呼ぶ。図１９のような非組織符号化を用いた場合には、ビットの区別なく全てを合わせて符号化ビットと呼ぶことにする。
【００８５】
符号化ビット列の長さに対する、元のビット列の長さの割合を符号化率と呼ぶ。例えば図１８や図１９の例では符号化率は１／３である。符号化率が小さいほど復号時の誤り訂正能力は向上するが、データレートは低下する。一般に符号化による誤り訂正能力を最大限に発揮するためには、符号化によって生成されたビット列全てを１回で送信することが望ましい。ただし、その場合には符号化率に応じてデータレートが低下してしまう。そこでデータレートを向上させるために符号化で生成したビット列の一部を送信する方法が採られる場合がある。  
例えば図２０のビット列２００１、図２１のビット列２１０１だけを送ることが可能である。このようにすると、データレートは元の倍になる。ただし、符号化によって生成したビットのうちの一部しか送信していないため符号化率はそれに応じて大きくなる。例えば今回の例では符号化率１／３で符号化をしたあとにその１／２のビット列を送信しているため、この場合の符号化率は２／３になる。符号化率の上昇に応じて誤り訂正能力も低下する。一般に符号化では、符号化によって生成された全ての符号化ビット列がそろったときに、誤り訂正能力を最大限に発揮することができる。また、一般に組織符号化では、パリティビットと比べて情報ビットの重要度の方が高く、情報ビットが一部または全部かけてしまった場合に誤り訂正能力が大きく劣化する可能性がある。
【００８６】
次に、このようにデータレートを向上させるために符号化したビット列の一部だけを送信した際の再送方法について図３、図４を参照して説明する。  
データの再送とは、データが通信相手において正常に受信されなかった場合に、再度データを送信することである。データが正常に受信されなかったケースは大きく２つに分類される。１つは、データを受信して復調を試みたものの、誤りを訂正しきれずに正常な受信ができなかった場合（ステップＳ３０１）である。以下ではこのようなケースを復調ミスと呼ぶこととする。そしてもう１つは、データが到来していることに気づかず、復調自体を試みなかった場合（ステップＳ４０１）である。このようなケースを受信ミスと呼ぶ。
【００８７】
復調ミスと受信ミスのいずれの場合も、再度データを送信することによって、すなわち再送をおこなうことによって受信を成功させることが可能である。このような再送には大きく分けて２つの方式がある。１つは、直前と同じ信号を送信する方法である。以下ではこれを同一再送とよぶこととする。そしてもうひとつは直前とは異なる信号を送信する方法である。以下ではこれをインクリメンタルリダンダンシー再送と呼ぶこととする。
【００８８】
次に、同一再送とインクリメンタルリダンダンシー再送について図２０および図２１の例を使って詳細に説明する。  
図２０や図２１のように生成した符号化ビット列のうち、１回目の送信でビット列２００１やビット列２１０１のように符号化したビット列の一部だけを送信していた場合を考える。１回目の送信について受信が失敗し、２回目の送信を行う際に、同一再送では１回目とおなじくそれぞれビット列２００１、ビット列２１０１を送信する。一方、インクリメンタルリダンダンシー再送では、１回目とは異なるビット列を送ってもよい。例えばこの例ではそれぞれ、ビット列２００２、ビット列２１０２を送信してもよい。また例えば、ビット列２００１とビット列２００２から半分ずつ、ビット列２１０１とビット列２１０２から半分ずつというようにしてもよい。いずれにしても１回目とは異なるビット列が含まれているようにして送信することをインクリメンタルリダンダンシー再送と呼ぶ。前述のように、符号の誤り訂正能力を最大限に発揮するためには符号化ビット列を全てそろえることが望ましい。そのため、図２０や図２１の例でインクリメンタルリダンダンシー再送をするにあたって、誤り訂正能力を向上させることを考えた場合、それぞれビット列２００２、ビット列２１０２からなる再送をした方が好ましいことが分かる。このようにすれば、受信の失敗が復調ミス（ステップＳ３０１）であった場合に、１回目と２回目を合わせてそれぞれ、ビット列２００１とビット列２００２、ビット列２１０１とビット列２１０２をそろえることができるために、誤り訂正能力を最大限に発揮させることができる。
【００８９】
その一方で、受信の失敗が受信ミスであった場合（ステップＳ４０１）にインクリメンタルリダンダンシー再送を用いると問題が発生する場合がある。例えば図２０の例で１回目の送信でビット列２００１を、２回目の送信でビット列２００２を送信した場合で、１回目のデータに対して受信ミスをした場合、２回目に送信されたビット列２００２だけで復号をしなければならなくなる。前述の通り、組織符号化ではパリティビットと比べて情報ビットの重要度が高く、情報ビットが一部または全部かけてしまった場合に誤り訂正能力が大きく劣化する可能性がある。今回の例では、ビット列２００２には情報ビットはまったく含まれないために、復号性能が大幅に劣化してしまうという問題が発生する。
【００９０】
まず、受信ミスを検出する無線通信装置について図２５を参照して説明する。この無線通信装置は、図１７の無線通信装置と比較して信号復調部１７０２の代わりに受信ミス判定部２５０１を設け、多重通知部１７０３が無く、送信ビット列選択部２５０２が多重有り無しの情報を受け取らないことが異なる。すなわち、この無線通信装置は第１信号、第２信号の受信とは無関係に受信ミスを検出するためのものである。
【００９１】
受信ミス判定部２５０１は、受信ミスの検出方法として、例えば、受信側から送信されたＡＣＫ／ＮＡＣＫ信号が、ＡＣＫまたはＮＡＣＫと判定するために十分な精度が得られていない場合には、ＡＣＫ／ＮＡＣＫも送信されていないと判断し、これを受信ミスと判定することができる。より具体的な例では、ＡＣＫとＮＡＣＫを示す１ビット情報がＢＰＳＫによって送信されており、＋１がＡＣＫ、−１がＮＡＣＫである場合に、受信した信号が０に近い値でＡＣＫともＮＡＣＫとも判断することが難しい場合には、受信ミス判定部２５０１は、ＡＣＫとＮＡＣＫのいずれも送信されていないと判断し、これを受信ミスと判定する。  
送信ビット列選択部２５０２は、受信ミス判定部２５０１が受信ミスであると判定した場合に、再送を行う送信ビット列を選択する。
【００９２】
次に、復号性能が大幅に劣化してしまうという問題に対しての解決策について、図２０、図２１、図２３、図２４を参照して説明する。  
問題が発生するのは、符号化に組織符号化を用いており、受信側でこれを受信した際に受信ミス（ステップＳ４０１）をし、さらにこれに対する再送でインクリメンタルリダンダンシー再送を用いた場合である。したがって、これらの要因のいずれかを除去すれば問題を解決することができる。
【００９３】
例えば、受信側で受信ミスをしたことが検出できた場合、または受信ミスをした可能性があることが検出できた場合には、再送で問題が起きないように工夫をすればよい。
【００９４】
再送の工夫としては例えば、直前に送ったビット列と同じビット列からなる信号を再送してもよい。言い換えると直前に送信した信号と同じ信号からなるデータを送信すればよい。このようにすれば、受信ミスをした場合でも、同じデータが再度送信されるために、直前に送信したデータが受信された場合と同等の受信性能を実現でき、受信性能が大きく劣化する可能性があるという問題を回避することができる。
【００９５】
例えば図２０で、１回目にビット列２００１を、復調ミスである場合には２回目の送信でビット列２００２をそれぞれ送信するような場合に、復調ミスではなく受信ミスであること、もしくは受信ミスの可能性があることが検出された場合には１回目とおなじビット列２００１を送信する。
【００９６】
ここで説明したような再送の工夫をすることにより、受信ミスをした場合の再送で受信性能が大幅に劣化する可能性があるという問題を回避できる。ただしその一方で、復調ミスをした場合（ステップＳ３０１）の性能は、若干劣化する場合がある。例えば、図２０の例で１回目の送信でビット列２００１を、２回目の送信でビット列２００２を送信した場合と、図２０の例で１回目の送信でビット列２００１を、２回目の送信でもビット列２００１を送信した場合とを比べると、受信ミスである場合には、符号化ビットを全てそろえることができる前者の方がよい性能を得られる場合がある。これについては、１回の送信で送信するビット列の符号化率が大きいほど、性能差が大きくなりやすい。逆に言うと、符号化率が小さい場合には性能差はほとんどないため、上述の再送の工夫を実施しても問題は発生しない。そこでこのような性能劣化を最小限に抑えるために、符号化率が高い場合には上述の再送の工夫を実施しないということをしてもよい。また他の方法では、基地局がＣＱＩとＡＣＫ／ＮＡＣＫの送信タイミングを調整して、符号化率が高いビット列を送る場合には、ＣＱＩの送信タイミングと一致しないようにすればよい。すなわち例えば、符号化率の高いビット列からなるデータを送信しようとした場合に、ＣＱＩの送信タイミングと一致してしまった場合には、そのデータの送信を少しはやめるか遅らせるかしてタイミングをずらせばよい。
【００９７】
再送の工夫をする以外では、組織符号化の変わりに非組織符号化を使う方法も考えられる。すなわち例えば、受信ミスが比較的発生しやすい状況では、あらかじめ非組織符号化を使っておくことによって、問題を回避することができる。
【００９８】
次に、受信ミスを判定する機能について図１７を参照して説明する。  
本実施形態の無線通信装置では、多重通知部１７０３によって多重の有り無しが通知され、信号復調部１７０２によって第１信号と第２信号のどちらが到来したかを判定することができる。前述の３ＧＰＰ−ＬＴＥの例で説明したように、ＣＱＩを第１ビット列、ＡＣＫ／ＮＡＣＫを第２ビット列とすると、ＣＱＩの送信タイミングとＡＣＫ／ＮＡＣＫの送信タイミングのいずれも基地局が端末に対して指示をするものであるため、基地局ではＣＱＩとＡＣＫ／ＮＡＣＫを多重する必要があるかどうかを知ることができる。これによって多重通知部１７０３は多重の有り無しを通知することができる。多重通知部１７０３によって多重有りということが通知された場合であって、さらに信号復調部１７０２によって第１信号であると判定された場合、第１信号を送信した無線送信装置では、ＤＳＣＨの受信に失敗した（ステップＳ３０１）か、ＤＬ−Ｇｒａｎｔの受信に失敗した（ステップＳ４０１）かのいずれかであることが分かる。すなわち言い換えると、これを送信した無線送信装置では、ＤＳＣＨに対して受信ミスまたは復調ミスが発生したことになる。したがってこのような場合には、これを送信した無線送信装置において、復調ミスが発生した可能性があることになる。復調ミスが発生した場合に、インクリメンタルリダンダンシー再送を用いると問題が発生する場合があるので、上述したような再送の工夫をすればよい。そうすることで、再送時の受信性能が大きく劣化する問題を回避することができる。
【００９９】
次に、この場合、データ再送に関わる、ビット列生成部１７０４、符号化部１７０５、送信ビット列選択部１７０６、変調部１７０７との動作について図１７、図２２を参照して説明する。  
ビット列生成部１７０４はビット列を生成する。符号化部１７０５は、ビット列に符号化をして符号化ビット列を生成する。送信ビット列選択部１７０６は、多重通知部１７０３により多重有りと通知され、信号復調部１７０２により第１信号が判定された場合に、上述の再送の工夫として説明した基準に基づいて送信するビットを選択する。そのあとで、選択したビット列に対して変調部１７０７で変調を施し無線信号として送信する。
【０１００】
送信ビット列選択部１７０６において、再送時に本実施形態の場合のように直前と同じビット列を選択する場合には、図２２に示すように、送信ビット列選択部１７０６が変調部１７０７にビット列を出力する代わりに、信号復調部２２０１と多重通知部２２０２が直前と同じ信号を送ることを変調部２２０３、送信ビット列選択部１７０６に対して指示してもよい。このような場合には、変調部２２０３において直前に入力された信号もしくは直前に生成した信号を記憶しておき、それを用いればよい。直前に生成した信号を記憶しておいたには場合、変調部が再度変調を実施する処理を省略することができるという効果が得られる。
【０１０１】
これは、図２５に示す無線通信装置でも同様である。図２５に示す信号ビット列選択部２５０２が変調部１７０７にビット列を出力する代わりに、受信ミス判定部２５０１が直前と同じ信号を送ることを変調部１７０７、信号ビット列選択部２５０２に対して指示してもよい。
【０１０２】
以上に説明した第５の実施形態によれば、相手無線通信装置において直前に送信したデータが受信されなかった場合においても、次の送信で同じ信号を送信するので、直前に送信したデータが受信された場合と同等の受信性能を実現でき、受信性能が大きく劣化する可能性があるという問題を回避することができる。
【０１０３】
（第６の実施形態）  
本実施形態の無線通信装置は、第５の実施形態の無線通信装置と同様な図１７に示される。  
本実施形態が第５の実施形態と異なる点は、送信ビット列選択部１７０６がどのように送信ビット列を選択するかである。本実施形態では、送信ビット列選択部１７０６は、多重通知部１７０３により多重有りと通知され、かつ、信号復調部１７０２により受信信号が第１信号であると判定された場合に、直前に送信した信号に含まれる全ての情報ビットを含む信号を選択する。
【０１０４】
このようにすることで、比較的重要度の高い情報ビットについては、直前に送信したデータと同じものが送られるために、直前に送信したデータが受信された場合に近い受信性能を実現でき、受信性能が大きく劣化する可能性があるという問題を回避することができる。またさらに、相手無線通信装置において直前に送信したデータが受信された場合においては、次の送信で情報ビット以外のビットが直前と異なるビットが送られるために、第５の実施形態と比べて性能が向上する。
【０１０５】
次に、本実施形態の再送方法について図２３を参照して説明する。  
例えば図２３で、１回目にビット列２３０１を、復調ミスである場合（ステップＳ３０１）には２回目の送信でビット列２３０２を、さらに復調ミスである場合には３回目の送信でビット列２３０３を送信するような場合を考える。２回目に送信された信号を受信ミスしたこと、もしくは受信ミスした可能性があることが検出された場合（ステップＳ４０１）には、３回目の送信では、２回目で送信したビット列２３０２のうちの情報ビットであるビット列２３０４を含むビット列を送信する。例えばビット列２３０４とビット列２３０５からなるビット列を送信する。このようにすると、少なくとも情報ビット列２３０４が送信されているために情報ビット列の一部を確保されるとともに、ビット列２３０２の受信が復調ミスであった場合に、ビット列２３０５にはビット列２３０２に含まれないビット列を含むために、受信性能が向上する。
【０１０６】
以上に説明した第６の実施形態によれば、相手無線通信装置において直前に送信したデータが受信されなかった場合においても、次の送信で少なくとも直前に送信した信号に含まれる全ての情報ビットを含む信号を送信するので、比較的重要度の高い情報ビットについては、直前に送信したデータと同じものが送られるために、直前に送信したデータが受信された場合に近い受信性能を実現でき、受信性能が大きく劣化する可能性があるという問題を回避することができる。また、相手無線通信装置において直前に送信したデータが受信された場合は、次の送信で情報ビット以外のビットが直前と異なるビットが送られるために、第５の実施形態と比べて性能を向上することができる。
【０１０７】
（第７の実施形態）  
本実施形態の無線通信装置は、第５の実施形態の無線通信装置と同様な図１７に示される。  
本実施形態が第５の実施形態と異なる点は、送信ビット列選択部１７０６がどのように送信ビット列を選択するかである。本実施形態では、送信ビット列選択部１７０６は、多重通知部１７０３により多重有りと通知され、かつ、信号復調部１７０２により受信信号が第１信号であると判定された場合に、情報ビットを全て含む信号を選択する。
【０１０８】
このようにして構成された無線通信装置から再送されたデータは、相手無線通信装置において直前に送信したデータが受信されなかった場合においても、次の送信で全ての情報ビットを含む信号を送信する。このようにすることで、比較的重要度の高い情報ビットが全て送信されるために、符号化の特性をある程度維持することができ、受信性能が大きく劣化する可能性があるという問題を回避することができる。また情報ビットを全て送信するため、送信するビット列の選択が比較的簡易になるという効果が得られる。
【０１０９】
次に、本実施形態の再送方法について図２４を参照して説明する。  
例えば図２４で、１回目にビット列２４０１を、復調ミスである場合（ステップＳ３０１）には２回目の送信でビット列２４０２をそれぞれ送信するような場合を考える。復調ミスではなく受信ミスであること、もしくは受信ミスの可能性があることが検出された場合（ステップＳ４０１）には、少なくとも全ての情報ビットであるビット列２４０３を含むビットを送信する。例えば、ビット列２４０３とビット列２４０４を合わせたものを送信してもよいし、ビット列２４０３とビット列２４０５を送信してもよい。ビット列２４０３とビット列２４０６を送信した場合、これはビット列２４０１と同じになる。すなわち仮に、１回目に送信されたビット列について、受信ミスではなく復調ミスであった場合に、１回目と２回目で送信されるビット列が同じになってしまう。前述の通り、符号化の誤り訂正能力を最大限に発揮するためには、符号化によって生成したビット列ができるかぎり揃っていることが望ましい。そのことから、２回目の送信では、１回目で送っていないビット列を優先的に送信することが望ましい。すなわち、情報ビットであるビット列２４０３と合わせて送るビット列は、ビット列２４０１に含まれないビット列であるビット列２４０４やビット列２４０５であることが望ましい。
【０１１０】
以上に説明した第７の実施形態によれば、相手無線通信装置において直前に送信したデータが受信されなかった場合においても、次の送信で全ての情報ビットを含む信号を送信することで、符号化の特性をある程度維持することができ、受信性能が大きく劣化する可能性があるという問題を回避することができる。
【０１１１】
以上に示した実施形態によれば、第１値を持つ第２ビット列と第１ビット列を多重する必要がある場合に、正常な動作をして多重を行った場合においても第１信号が生成され、何らかの正常でない動作をして多重を行う必要がないと判断してしまった場合においても第１信号が生成されるので、第１ビット列と第２ビット列とを多重する必要があることに気づかなかった場合においても、第２ビット列として第１値を多重したことに相当する信号を送信するために、これを受信した相手無線装置が第１値以外と判定してしまう可能性を小さくすることができる。  
また、相手無線通信装置において直前に送信したデータが受信されなかった場合においても、次の送信で同じ信号を送信するので、直前に送信したデータが受信された場合と同等の受信性能を実現でき、受信性能が大きく劣化する可能性があるという問題を回避することができる。
【０１１２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１１３】
【図１】第１の実施形態の無線送信装置のブロック図。
【図２】端末で受信ミス復調ミスが無い場合での基地局と端末との間の信号のやり取りを示すシーケンス図。
【図３】端末で復調ミスがある場合での基地局と端末との間の信号のやり取りを示すシーケンス図。
【図４】端末で受信ミスがある場合での基地局と端末との間の信号のやり取りを示すシーケンス図。
【図５】図１の第１信号生成部および第２信号生成部のブロック図。
【図６】図１の第１信号生成部および第２信号生成部のブロック図。
【図７】図６の波形生成部が信号波形を乗じる信号を示す図。
【図８】第２の実施形態の無線送信装置のブロック図。
【図９】図８の第１／２信号生成部に含まれる信号生成部のブロック図。
【図１０】図８の第１／２信号生成部に含まれる信号生成部のブロック図。
【図１１】図８の第１／２信号生成部に含まれる信号生成部のブロック図。
【図１２】図８の第１／２信号生成部に含まれる信号生成部のブロック図。
【図１３】図８の第１／２信号生成部に含まれる信号生成部のブロック図。
【図１４】図８の第１／２信号生成部に含まれる信号生成部のブロック図。
【図１５】第３の実施形態の無線送信装置のブロック図。
【図１６】第４の実施形態の無線送信装置のブロック図。
【図１７】第５の実施形態の無線通信装置のブロック図。
【図１８】ビット列を符号化する手法を説明するための図。
【図１９】ビット列を符号化する手法を説明するための図。
【図２０】ビット列を符号化する手法を説明するための図。
【図２１】ビット列を符号化する手法を説明するための図。
【図２２】第５の実施形態の図１７とは異なる無線通信装置のブロック図。
【図２３】第６の実施形態の無線通信装置での再送方法を説明するための図。
【図２４】第７の実施形態の無線通信装置での再送方法を説明するための図。
【図２５】受信ミスを検出する機能を備えた無線通信装置のブロック図。
【符号の説明】
【０１１４】
１０１・・・第１ビット列生成部、１０２，１５０１・・・第２ビット列生成部、１０３，１７０３・・・多重指示部、１０４・・・信号制御部、１０５・・・第１信号生成部、１０６，１５０２・・・第２信号生成部、１０７・・・スイッチ、１０８，１７０１，１７０８・・・無線部、５０１，９０１，１７０５・・・符号化部、５０２，９０２，１７０７，２２０３・・・変調部、６０１・・・波形生成部、７０１〜７０７・・・信号、８０１，１６０１・・・第１／２信号生成部、１７０２，２２０１・・・信号復調部、１７０４・・・ビット列生成部、１７０６・・・送信ビット列選択部、１８０１〜１８０３、１９０１〜１９０３、２００１，２００２、２１０１，２１０２、２３０１〜２３０５、２４０１〜２４０６・・・ビット列、２２０２・・・多重通知部、２５０１・・・受信ミス判定部、２５０２・・・送信ビット列選択部。
【図１】
2009171028.tif 000003
【図２】
2009171028.tif 000004
【図３】
2009171028.tif 000005
【図４】
2009171028.tif 000006
【図５】
2009171028.tif 000007
【図６】
2009171028.tif 000008
【図７】
2009171028.tif 000009
【図８】
2009171028.tif 000010
【図９】
2009171028.tif 000011
【図１０】
2009171028.tif 000012
【図１１】
2009171028.tif 000013
【図１２】
2009171028.tif 000014
【図１３】
2009171028.tif 000015
【図１４】
2009171028.tif 000016
【図１５】
2009171028.tif 000017
【図１６】
2009171028.tif 000018
【図１７】
2009171028.tif 000019
【図１８】
2009171028.tif 000020
【図１９】
2009171028.tif 000021
【図２０】
2009171028.tif 000022
【図２１】
2009171028.tif 000023
【図２２】
2009171028.tif 000024
【図２３】
2009171028.tif 000025
【図２４】
2009171028.tif 000026
【図２５】
2009171028.tif 000027